(57)【要約】【課題】音声入力により効率良く診断レポートを入力できる医用診断レポートシステムを提供する。【解決手段】上記課題は、操作部３から音声入力された診断情報を文字情報として認識する音声認識部１１と、該認識された文字情報がコマンドか自由文かを判定するコマンド判定部１２と、該判定された結果がコマンドであった場合、当該コマンドを入力するために適したコマンド入力モードに設定するコマンド処理部１３とを有し、該設定されたコマンド入力モードに基いてコマンドを入力して、その入力情報をモニタ２に表示することで解決される。【選択図】　　　図２
2004118098.tif 000002
【特許請求の範囲】
【請求項１】
表示された医用画像を含む医療情報の診断情報を入力する医用診断レポートシステムにおいて、前記診断情報を音声入力する操作部と、該入力された音声を文字情報として認識する音声認識部と、該認識された文字情報がコマンドか自由文かを判定するコマンド判定部と、該判定された結果がコマンドであった場合、当該コマンドを入力するために適したコマンド入力モードに設定するコマンド処理部と、該設定されたコマンド入力モードに基いてコマンドを入力して、その入力情報を表示する表示部とを備えたことを特徴とする医用診断レポートシステム。
【発明の詳細な説明】
【０００１】
【発明が属する技術分野】
本発明は医用診断レポートシステムに係り、特に医用診断レポートの入力項目に合った入力モードを自動設定して、操作性を向上したものに関する。
【０００２】
【従来の技術】
従来の医用診断レポートシステムは、読影レポートシステムとして、［特許文献１］に記載されている。
【０００３】
［特許文献１］には、読影レポートを作成するためのチェック項目のリストを作り、それらチェック項目ごとに選択肢を設けて記憶し、前記選択肢に対応する所見文章を記憶し、操作者が所見文章と合致する選択肢を選んで読影レポートを作成する旨記載されている。
【０００４】
【特許文献１】
特開平９−５０４７号公報。
【０００５】
【発明が解決しようとする課題】
しかしながら、［特許文献１］に記載された従来技術には、音声入力によりコマンド又は自由文を入力するときに、コマンドに合った入力モードに設定して操作性を良くしたいという要求を充足するための配慮がされていなかった。
【０００６】
また、患者ＩＤにおいては英数字の入力モードへ自動的に入力モードを切り換えて、音声入力の識字率を向上させることも配慮がされていなかった。
【０００７】
本発明の目的は、音声入力により効率良く診断レポートを入力できる医用診断レポートシステムを提供することにある。
【０００８】
また、入力データ毎に適合する入力モードにより音声入力の識字率を向上する医用診断レポートシステムを提供することにある。
【０００９】
【課題を解決するための手段】
上記目的は、表示された医用画像を含む医療情報の診断情報を入力する医用診断レポートシステムにおいて、前記診断情報を音声入力する操作部と、該入力された音声を文字情報として認識する音声認識部と、該認識された文字情報がコマンドか自由文かを判定するコマンド判定部と、該判定された結果がコマンドであった場合、当該コマンドを入力するために適したコマンド入力モードに設定するコマンド処理部と、該設定されたコマンド入力モードに基いてコマンドを入力して、その入力情報を表示する表示部とを備えたことによって達成される。
【００１０】
【発明の実施の形態】
本発明の医用診断レポートシステムについて図面を用いて説明する。
【００１１】
図１は本発明の医用診断レポートシステムの一例を示すブロック図、図２は図１の制御部の詳細図、図３は図１の医用診断レポートシステムの動作を説明するフローチャート、図４４は図１の医用診断レポートシステムの表示例を示す図である。
【００１２】
本発明の医用診断レポートシステムは、図１に示すように、制御部１と、制御部１に接続されたモニタ２、操作部３、レポートデータベース部（ＤＢ）４を有している。
【００１３】
制御部１はシステム全体を制御する。モニタ２は医用画像を含む医用情報や図４に示すような患者ＩＤ、依頼科、所見や、「承認」、「保存」、「印刷」などのアイコンなどで構成する入力画面表示する。操作部３は音声認識を行うためのマイクなどの公知の音声入力器を備えていて、操作者がモニタ２に表示される医用画像を見て、前記入力画面に前記入力器を用いて入力する。レポートＤＢ４は、診断レポートの定型文、予め入力された自由文などを単語や成句で記憶しておき、それら単語を比較参照することで診断レポートを作成するためのデータベースである。このデータベースは既知のものであって、例えばリレーショナルデータベースなどがある。
【００１４】
また、制御部１の詳細な構成は、図２に示すように、マイクなどの操作部３に接続される音声認識部１１と、音声認識部１１に接続されるコマンド／自由文判定部１２と、コマンド／自由文判定部１２に接続されるコマンド処理部１３とを有している。
【００１５】
音声認識部１１は前記マイクによって入力された音声を文字情報に認識する。コマンド／自由文判定部１２は音声認識部１１で識別された文字情報を判定し、コマンドか自由文かを判定する。ここでいうコマンドとは、患者ＩＤ、依頼科、前記入力画面の内容を医師が承認する「承認」アイコン、前記入力画面の内容を制御部１に内蔵される記憶手段に保存する「保存」アイコン、プリンタを接続して前記入力画面の内容を印刷する「印刷」アイコンに表示カーソルを移動して入力する命令を示す。また、自由文とは所見を示す。コマンド処理部１３はコマンド／自由文判定部１２に出力されたコマンドに適応する前記入力画面の入力カーソル位置と適合する文字の入力モードを設定する。
【００１６】
次に、本発明の医用診断レポートシステムの動作例について、図３、図４を用いて説明する。ここでは、患者ＩＤを選択し、患者ＩＤは「１１０００１」、依頼科は「外科」、所見は「肺は左に腫瘍の疑いがある陰影が認められるので、組織検査を要する。右には現状のところ転移が確認されない。」、「承認」アイコンを選択という流れを説明する。
【００１７】
操作者は、入力画面４０で患者ＩＤの表示エリア４１に表示カーソルを移動するため、「患者ＩＤ」と音声入力する（ステップ３１）。マウスなどを使って表示カーソルを移動した場合には、ステップ３２、３３を省略して、ステップ３４へジャンプする。
【００１８】
音声認識部１１は、音声「患者ＩＤ」から文字情報「患者ＩＤ」を認識する（ステップ３２）。
【００１９】
コマンド／自由文判定部１２は、文字情報「患者ＩＤ」をコマンドか、自由文か判定する。この場合、文字情報の特徴からコマンドであることが判定されるので、ステップ３４へジャンプする（ステップ３３）。
【００２０】
コマンド処理部１３は、患者ＩＤの入力モードである英数字の入力モードに設定する（ステップ３４）。
【００２１】
コマンド処理部１３は、患者ＩＤの表示エリア４１にカーソルを表示する（ステップ３５）。
【００２２】
音声入力から表示までの一連の処理は、患者ＩＤの表示エリア４１にカーソル移動されただけなので、終了していないから、再びステップ３１にジャンプする（ステップ３７）。
【００２３】
入力画面４０で患者ＩＤの表示エリア４１にカーソルがあり、操作者は、「１１０００１」と音声入力をする（ステップ３１）。
【００２４】
音声認識部１１は、患者ＩＤの入力モードである英数字の入力モードに設定しているため、認識しやすい英数字の入力モードのもとで音声「１１０００１」から文字情報「１１０００１」を認識する（ステップ３２）。
【００２５】
コマンド／自由文判定部１２は、文字情報「１１０００１」をコマンドか、自由文か判定する。この場合、文字情報の特徴から自由文であることが判定されるので、ステップ３６へジャンプする（ステップ３３）。
【００２６】
コマンド処理部１３は、文字情報「１１０００１」を表示エリア４１に表示をする（ステップ３６）。
【００２７】
音声入力から表示までの一連の処理は、患者ＩＤが入力されただけなので、終了していないから、再びステップ３１にジャンプする（ステップ３７）。
【００２８】
操作者は、入力画面４０で依頼科の表示エリア４１に表示カーソルを移動するため、「依頼科」と音声入力する（ステップ３１）。マウスなどを使って表示カーソルを移動した場合には、ステップ３３、３４を省略して、ステップ３５へジャンプする。
【００２９】
音声認識部１１は、音声「依頼科」から文字情報「依頼科」を認識する（ステップ３２）。
【００３０】
コマンド／自由文判定部１２は、文字情報「依頼科」をコマンドか、自由文か判定する。この場合、文字情報の特徴からコマンドであることが判定されるので、ステップ３４へジャンプする（ステップ３３）。
【００３１】
コマンド処理部１３は、依頼科の入力モードである依頼科選択の入力モードに設定する。依頼科選択の入力モードは、例えば、「内科」、「外科」、「整形外科」、「産婦人科」などの診療科の一覧である。（ステップ３４）。
【００３２】
コマンド処理部１３は、患者ＩＤの表示エリア４１にカーソルを表示する。また、このとき診療科の一覧をリストとして表示してもよい（ステップ３５）。
【００３３】
音声入力から表示までの一連の処理は、患者ＩＤの表示エリア４１にカーソル移動されただけなので、終了していないから、再びステップ３１にジャンプする（ステップ３７）。
【００３４】
この動作フローでは、操作者が入力画面４０で依頼科の表示エリア４１に表示カーソルを移動するため、「依頼科」と音声入力したが、音声が途切れた時間に基いて自動的に移動するようにしてもよい。
【００３５】
操作者は、入力画面４０で依頼科の表示エリア４２にカーソルがあり、「外科」と音声入力をする（ステップ３１）。
【００３６】
音声認識部１１は、依頼科選択の入力モードのもとで音声「外科」から文字情報「外科」を認識する（ステップ３２）。
【００３７】
コマンド／自由文判定部１２は、文字情報「外科」をコマンドか、自由文か判定する。この場合、文字情報の特徴から依頼科を示すコマンドであることが判定されるので、ステップ３４へジャンプする（ステップ３３）。
【００３８】
コマンド処理部１３は、依頼科の入力モードである依頼科選択の入力モードである診療科の一覧から文字情報「外科」を択一的に選択する（ステップ３４）。
【００３９】
コマンド処理部１３は、文字情報「外科」を表示エリア４２に表示をする（ステップ３５）。
【００４０】
音声入力から表示までの一連の処理は、患者ＩＤと依頼科までの入力しか進んでいないので、終了していないから、再びステップ３１にジャンプする（ステップ３７）。
【００４１】
操作者は、入力画面４０での表示エリア４３にカーソルへ移動したときに、「肺は左に腫瘍の疑いがある陰影が認められるので、組織検査を要する。右には現状のところ転移が確認されない。」と音声入力をする。表示カーソルはマウスなどを使って移動してもよいし、前述のように「所見」と音声入力してもよいし、音声が途切れた時間に基いて自動的に移動するようにしてもよい（ステップ３１）。
【００４２】
音声認識部１１は、音声「肺は左に腫瘍の疑いがある陰影が認められるので、組織検査を要する。右には現状のところ転移が確認されない。」を文字情報として認識する（ステップ３２）。
【００４３】
コマンド／自由文判定部１２は、認識された文字情報をコマンドか、自由文か判定する。この場合、文字情報の特徴から所見を示す自由文であることが判定されるので、ステップ３６へジャンプする（ステップ３３）。
【００４４】
コマンド処理部１３は、所見の文字情報を表示エリア４３に表示をする（ステップ３６）。
【００４５】
音声入力から表示までの一連の処理は、患者ＩＤと依頼科と所見までの入力しか進んでいないので、終了していないから、再びステップ３１にジャンプする（ステップ３７）。
【００４６】
操作者は、入力画面４０で依頼科の表示エリア４４にカーソルへ移動したときに、「承認」と音声入力をする。表示カーソルはマウスなどを使って移動してもよいし、音声が途切れた時間に基いて自動的に移動するようにしてもよい（ステップ３１）。
【００４７】
音声認識部１１は、音声「承認」から文字情報「承認」を認識する（ステップ３２）。
【００４８】
コマンド／自由文判定部１２は、文字情報「承認」をコマンドか、自由文か判定する。この場合、文字情報の特徴からアイコンを示すコマンドであることが判定されるので、ステップ３４へジャンプする（ステップ３３）。
【００４９】
コマンド処理部１３は、アイコンの入力モードであり「承認」、「保存」、「印刷」、などの一覧から文字情報「承認」を択一的に選択する（ステップ３４）。
【００５０】
コマンド処理部１３は、アイコン選択の入力モードのもとで文字情報「承認」を表示エリア４４に選択したことを示す表示をする。選択したことを示す表示とは、反転表示や点滅表示、カラー表示であれば色を変えて、選択されたことを示すものである（ステップ３５）。
【００５１】
音声入力から表示までの一連の処理は、患者ＩＤからアイコンまで全ての入力が終了したから、前記一連の処理を終了する（ステップ３７）。
【００５２】
以上説明したように、本実施の形態では、操作部３から音声入力された診断情報を文字情報として認識する音声認識部１１と、該認識された文字情報がコマンドか自由文かを判定するコマンド判定部１２と、該判定された結果がコマンドであった場合、当該コマンドを入力するために適したコマンド入力モードに設定するコマンド処理部１３とを有し、該設定されたコマンド入力モードに基いてコマンドを入力して、その入力情報をモニタ２に表示することで、音声入力により効率良く診断レポートを入力できる。
【００５３】
また、患者ＩＤには英数字入力モードとして、入力モードを限定することにより、音声入力の識字率を向上できる。
【００５４】
【発明の効果】
本発明は、音声入力により効率良く診断レポートを入力できる医用診断レポートシステムを提供するという効果を奏する。
【００５５】
また、入力データ毎に適合する入力モードにより音声入力の識字率を向上する医用診断レポートシステムを提供するという効果を奏する。
【図面の簡単な説明】
【図１】本発明の医用診断レポートシステムの一例を示すブロック図。
【図２】図１の制御部の詳細図。
【図３】図１の医用診断レポートシステムの動作を説明するフローチャート。
【図４】図１の医用診断レポートシステムの表示例を示す図。
【符号の説明】
１…制御部、２…モニタ、３…操作部、４…レポートデータベース部（ＤＢ）、１１…音声認識部、１２…コマンド／自由文判定部、１３…コマンド処理部
【図１】
2004118098.tif 000003
【図２】
2004118098.tif 000004
【図３】
2004118098.tif 000005
【図４】
2004118098.tif 000006